(57)【要約】      （修正有）【課題】反射機能を備えた回路基板を提供するとともに、反射機能を備えた回路基板を含んだ発光モジュールや平面ディスプレイを提供し、発光モジュールや平面ディスプレイの厚みを減少させることにある。【解決手段】第１表面と第２表面を有する回路基板本体１２と、該回路基板本体１２の第１表面１２ａに付着された反射層１４と、前記回路基板本体１２の第２表面１２ｂに設置された電子部品１６とを含む。また、光源２０と、前記反射層１４の上に設置され、前記光源２０より放射された光を通過させ、再度前記反射層１４で反射して前記第１表面１２ａに到達させる導光板３０とを含む。【選択図】図１
2005062579.tif 000002
【特許請求の範囲】
【請求項１】
第１表面と第２表面を有する回路基板本体と、該回路基板本体の第１表面に付着された反射層と、前記回路基板本体の第２表面に設置された電子部品とを含む反射機能を備えた回路基板。
【請求項２】
前記反射層は、無機材料よりなる請求項１に記載の反射機能を備えた回路基板。
【請求項３】
前記反射層は、二酸化チタン、酸化アルミニウム、酸化亜鉛、硫化亜鉛、硫酸バリウム、酸化アンチモン、酸化マグネシウム、フッ化マグネシウム、炭酸カルシウムからなる無機材料群より選択された１の無機材料又は複数の無機材料の組合せよりなる請求項２に記載の反射機能を備えた回路基板。
【請求項４】
前記反射層は、金属又は金属合金からなる請求項１に記載の反射機能を備えた回路基板。
【請求項５】
前記反射層は、１〜１０μｍの厚さを有する請求項１に記載の反射機能を備えた回路基板。
【請求項６】
前記反射層の上に付着された保護層を含む請求項１に記載の反射機能を備えた回路基板。
【請求項７】
第１表面と第２表面を有する回路基板本体と、前記回路基板本体の第１表面上に付着された反射層と、前記回路基板本体の第２表面上に設置された電子部品とを備えた回路基板本体を含むとともに、光源と、前記反射層の上に設置され、前記光源より放射された光を通過させ、再度前記反射層で反射して前記第１表面に到達させる導光板とを含む反射機能を備えた回路基板を含む発光モジュール。
【請求項８】
第１表面と第２表面を有する回路基板本体と、該回路基板本体の第１表面上に付着された反射層と、前記回路基板本体の第２表面上に設置された電子部品とを備えた反射機能を備えた回路基板を含むとともに、光源と、前記反射層の上に設置され、前記光源より放射された光を通過させ、再度前記反射層で反射して前記第１表面に到達させる導光板と、前記導光板の第１表面の上に設置されたディスプレイパネルとを含む平面ディスプレイ。
【発明の詳細な説明】
【技術分野】
【０００１】
本発明は、反射機能を備えた回路基板に関し、より詳細には、発光モジュールおよび平面ディスプレイの厚みを減少させる反射機能を備えた回路基板を含む発光モジュールおよび平面ディスプレイに関する。
【背景技術】
【０００２】
図３は、従来の液晶ディスプレイ（ＬＣＤ）の断面図である。この液晶ディスプレイ（ＬＣＤ）は、図３の下方から上方にかけて、回路基板１００、反射シート６００、導光板（ＬＧＰ）３００、光学シート４００、およびＬＣＤパネル５００を備える。この回路基板１００は、回路基板本体１２０と電気部品１６０を備える。回路基板本体１２０は、第１表面１００ａと第２表面１００ｂを有し、電気部品１６０は、第２表面上に配される。反射シート６００は、図３の下方から上方にかけて、反射基層６１０と、反射層６２０、および保護層６３０を備える。この光学シート４００は、１つの拡散シート４１０と、２つのプリズムシート４２０、４３０とを備える。
【０００３】
光源２００は、導光板３００の側方に配される。光線は、光源２００から放射された光が、導光板３００の側方から導光板３００に入射した後、反射シート６００の反射層６２０で反射して、再度導光板３００に入射し、光学シート４００を通って、ＬＣＤパネル５００に入射する。
【発明の開示】
【発明が解決しようとする課題】
【０００４】
ところが、上記従来の液晶ディスプレイ（ＬＣＤ）はかなり厚いため、更なる改良を必要とする。
【０００５】
本願発明の目的は、上記問題を解決するため、反射機能を備えた回路基板を提供するとともに、反射機能を備えた回路基板を含んだ発光モジュールや平面ディスプレイを提供し、発光モジュールや平面ディスプレイの厚みを減少させることにある。
【課題を解決するための手段】
【０００６】
そこで、本願発明の目的は、第１表面と第２表面を有する回路基板本体と、該回路基板本体の第１表面に付着された反射層と、前記回路基板本体の第２表面に設置された電子部品とを含む反射機能を備えることにより、達成される。
【０００７】
また、上記目的は、反射層を無機材料より構成したり、反射層を、二酸化チタン、酸化アルミニウム、酸化亜鉛、硫化亜鉛、硫酸バリウム、酸化アンチモン、酸化マグネシウム、フッ化マグネシウム、炭酸カルシウムからなる無機材料群より選択された１の無機材料又は複数の無機材料の組合せより構成することにより、効果的に達成される。
【０００８】
また、上記目的は、記反射層を金属又は金属合金から構成したり、反射層を１〜１０μｍの厚さを有するようにしたことにより、効果的に達成される。
【０００９】
また、上記目的は、反射層の上に付着された保護層を含むようにしたことにより、効果的に達成される。
【００１０】
また、上記目的は、第１表面と第２表面を有する回路基板本体と、前記回路基板本体の第１表面上に付着された反射層と、前記回路基板本体の第２表面上に設置された電子部品とを備えた回路基板本体を含むとともに、光源と、前記反射層の上に設置され、前記光源より放射された光を通過させ、再度前記反射層で反射して前記第１表面に到達させる導光板とを含むことにより、効果的に達成される。
【００１１】
また、上記目的は、第１表面と第２表面を有する回路基板本体と、該回路基板本体の第１表面上に付着された反射層と、前記回路基板本体の第２表面上に設置された電子部品とを備えた反射機能を備えた回路基板を含むとともに、光源と、前記反射層の上に設置され、前記光源より放射された光を通過させ、再度前記反射層で反射して前記第１表面に到達させる導光板と、前記導光板の第１表面の上に設置されたディスプレイパネルとを含むことにより、より効果的に達成される。
【発明の効果】
【００１２】
以上のように、本願発明では、回路基板の上に反射層を直接に配することによって、従来の平面ディスプレイの反射シートと回路基板とを単一の部材にする。これにより、本願発明は、反射基層分の厚みをなくし、発光モジュールや平面ディスプレイ全体の厚みをかなり減少させることができる。
【発明を実施するための最良の形態】
【００１３】
以下、図面を参照しながら、本発明の実施形態を説明する。
【００１４】
図１は、本発明の第１実施形態に係る平面ディスプレイの断面図である。この平面ディスプレイは、図１の下方から上方にかけて、反射回路基板１０と、導光板（ＬＧＰ）３０と、光学シート４０と、ディスプレイパネル５０とを備える。さらに、光源２０は、導光板３０の側方に配される。なお、３０ａは、導光板３０の第１表面である。
【００１５】
反射回路板１０は、回路板本体１２と、反射層１４と、電気部品１６とを備え、回路基板本体１２は、第１表面１２ａと第２表面１２ｂを有する。また、反射層１４は、回路基板本体１２の第１表面１２ａ上に取り付け、かつ電気部品１６は、回路基板本体１２の第２表面１２ｂに配される。
【００１６】
典型的な場合として、光学シート４０には、拡散シート４１か、プリズムシート４２，４３か、或いはその組み合わせにすることができる。拡散シート４１は、光源２０から放射される光を均一に分散するための光散乱効果を有し、プリズムシート４２，４３は、輝度を高めるため、ある程度散乱した光に焦点をあわせる。例えば、図２において、光学シート４０は、１つの拡散シート４１と、２つのプリズムシート４２、４３を備える。
【００１７】
回路基板本体１２は、リギッドな回路基板でも、フレキシブルな回路基板でもよい。電気部品１６は、抵抗器、コンデンサ、ＩＣ制御器などである。ディスプレイパネル５０は、ＬＣＤパネルである。
【００１８】
光線は、以下のように、光源２０から放射された光は、導光板３０の側方から導光板３０に入射し、反射回路基板１０の反射層１４で反射し、再度導光板３０に入射し、光学シート４０を通って、ＬＣＤパネル５０に入射する。
【００１９】
本願発明の特徴は、従来の平面ディスプレイの反射シートおよび回路基板を、単一の部材に組み合わせ、発光モジュール又は平面ディスプレイの厚みを減少させることにある。従来の平面ディスプレイを示す図３では、反射層６２０は、反射基層６１０に設けられ、回路基板１００は、反射機能を有しない。本願発明の平面ディスプレイを示す図２では、反射層１４は、回路基板１０で反射するように、回路基板本体１２に直接に取り付けられる。よって、図１に示すように、反射基層６１０は、図３と同じように配される。従って、本願発明では、反射基層６１０の厚みが省かれるので、発光モジュールや平面ディスプレイの厚みを大きく減少させることができる。
【００２０】
本願発明によると、反射層１４は、無機材料でもよく、代表例として、二酸化チタン、酸化アルミニウム、酸化亜鉛、硫化亜鉛、硫酸バリウム、酸化アンチモン、酸化マグネシウム、フッ化マグネシウム、カルシウム、およびその混合物などである。また、反射層１４は、金属又は金属合金でもよい。代表例として、銀、銀合金、アルミニウム、アルミ合金、およびその混合物などである。
【００２１】
反射層１４は、コーティング、溶着、或いは電気めっきによって形成され、回路基板本体１２の第１表面１２ａに取り付けられる。例えば、反射層１４は、プラズマコーティング、スプレイコーティング、ゲルコーティング、コンバージョンコーティング、化学気相成長（ＣＶＤ）、或いはスパッタリングによって形成される。或いは、反射層１４は、接着によって回路板本体１２の第１表面１２ａに取り付けてもよい。反射層１４は、１乃至１０μｍの厚み、好ましくは、１乃至５μｍの厚みでもよい。
【００２２】
図２は、本発明の第２実施形態に係る平面ディスプレイの断面図である。平面ディスプレイは、図２の下方から上方にかけて、反射回路基板１０と、導光板３０と、光学シート４０と、ディスプレイパネル５０とを備えている。さらに、光源２０は、導光板３０の側方に配される。
【００２３】
反射回路基板１０は、回路基板本体１２と、反射層１４と、保護層１５と、電気部品１６とを備える。この回路基板本体１２は、第１表面１２ａと第２表面１２ｂを有する。また、反射層１４は、回路基板本体１２の第１表面１２ａに取り付けられ、保護層１５は、反射層１４に取り付けられ、電気部品１６は、回路基板本体１２の第２表面１２ｂに配される。
【００２４】
図２の平面ディスプレイ構造は、図１に類似していて、詳細な記述はここでは省略するが、この違いは、図１において、保護層１５を反射層１４に取り付ける点にある。保護層１５は、ポリエステル、ポリエチレン（ＰＥ）、ポリプロピレン（ＰＰ）、或いは酸化ポリマーなどのポリマーでもよく、表面コーティング、スプレイ、圧縮、或いはＵＶキュアリングによって形成される。
【図面の簡単な説明】
【００２５】
【図１】本発明の第１の好ましい実施形態に係る平面ディスプレイの断面図である。
【図２】本発明の第２の好ましい実施形態に係る平面ディスプレイの断面図である。
【図３】従来の液晶ディスプレイの断面図である。
【符号の説明】
【００２６】
１２          回路基板本体
１２ａ        第１表面
１２ｂ        第２表面
１４          反射層
１５          保護層
１６          電気部品
２０          光源
３０          導光板
３０ａ        第１表面
４０          光学シート
４１          拡散シート
４２，４３    プリズムシート
５０          ディスプレイパネル
【図１】
2005062579.tif 000003
【図２】
2005062579.tif 000004
【図３】
2005062579.tif 000005